(57)【特許請求の範囲】
【請求項１】
発射手段（１６）を操作する発射ハンドル（１８）を備え、該発射ハンドル（１８）は支持ケース（２４）により前後方向の軸心廻りに回動可能に支持され且つ前記発射手段（１６）の打撃力を調節するための操作ダイアル（２５）と、該操作ダイアル（２５）の前側で前記支持ケース（２４）に固定され且つ遊技者が前側から把持するハンドルカバー（２６）とを含み、前記ハンドルカバー（２６）は前側に突出する略半球状の球面部（４０）と、該球面部（４０）の下側から左右両側にわたって設けられたグリップ部（３５）とを備え、前記グリップ部（３５）は前記球面部（４０）から前側に突出し且つ上側になるに従って突出量が小さくなる形状であって、前記操作ダイアル（２５）に指を掛けて前記ハンドルカバー（２６）を把持したときに掌が前側から当接するハンドレスト部（４２）を備えていることを特徴とする弾球遊技機。
【請求項２】
前記ハンドルカバー（２６）に前記グリップ部（３５）が一体に設けられていることを特徴とする請求項１に記載の弾球遊技機。
【請求項３】
前記グリップ部（３５）に、前記ハンドルカバー（２６）を把持したときに掌の踵部分から母指球部分及び／又は踵部分から母指球部分の内側部分を下側から受けるハンドレスト部（４２）が設けられていることを特徴とする請求項１又は２に記載の弾球遊技機。
【請求項４】
前記グリップ部（３５）に、前記ハンドルカバー（２６）を把持したときに指を掛ける指掛け部（５３）が設けられていることを特徴とする請求項１又は２に記載の弾球遊技機。
【請求項５】
前記グリップ部（３５）は前記ハンドルカバー（２６）の下部側に該ハンドルカバー（２６）の下側に沿って正面視略円弧状又はＵ字状に湾曲形成され、該グリップ部（３５）の上側に凹部（４１）が設けられていることを特徴とする請求項１〜４の何れかに記載の弾球遊技機。
【請求項６】
前記ハンドレスト部（４２）は内周側から外周側へと外下がり状に所定角度傾斜していることを特徴とする請求項１〜５の何れかに記載の弾球遊技機。
【請求項７】
前記ハンドレスト部（４２）は踵部分及び／又はその内側部分を受ける踵受け部分（５２）の幅が、母指球部分及び／又はその内側部分を受ける母指球受け部分（５１）の幅よりも広いことを特徴とする請求項６に記載の弾球遊技機。
【発明の詳細な説明】
【０００１】
【発明の属する技術分野】
本発明は、パチンコ機、アレンジボール機等の弾球遊技機に関し、発射ハンドルのハンドルカバーにグリップ部を設けたものである。
【０００２】
【従来の技術】
パチンコ機等の弾球遊技機では、遊技機本体の前側下部に発射ハンドルを設け、この発射ハンドルの操作により遊技機本体の裏側下部の発射手段を作動させて、上皿等の球供給皿から発射レール上に１個づつ供給される遊技球を打撃槌によって打撃し、その遊技球を遊技盤の遊技領域へと発射させるようにしている。
【０００３】
従来の発射ハンドルは、特開平１１−２９０５０９号公報に記載されるように、発射手段の打撃力を調節する操作ダイアルと、この操作ダイアルの前側に配置され且つ前側に突出する半球体状のハンドルカバーとを備えている。そして、遊技を行う際には、遊技者はハンドルカバーを手で把持して操作ダイアルに指を掛け、その状態で操作ダイアルを回動させながら打撃力を調節する。
【０００４】
【発明が解決しようとする課題】
従来の発射ハンドルは、操作ダイアルの前側のハンドルカバーが半球体状であるため、この発射カバーを掌で包み込むように把持した場合には、手をハンドルカバー側に預けた状態で操作ダイアルを操作できるが、手の動きが悪くなり操作ダイアルを自由に操作し辛くなる。
【０００５】
逆に複数本の指をハンドルカバーの外周に当てて、ハンドルカバーと掌との間に、掌の中央部分から下側の踵部分、母指球部分にかけて隙間ができるように把持した場合には、手の動きが良く操作ダイアルを容易に操作できるものの、ハンドルカバーと掌との間に隙間ができるため、手をハンドルカバー側に預けることができなくなる。このため、その状態で長時間にわたって遊技を行う場合には、その隙間が原因で手、指等が極度に疲労することになる。
【０００６】
本発明は、このような従来の課題に鑑み、操作ダイアルを容易に操作でき、しかも手、指等の疲労を軽減できる弾球遊技機を提供することを目的とする。
【０００７】
本発明は、発射手段１６を操作する発射ハンドル１８を備え、該発射ハンドル１８は支持ケース２４により前後方向の軸心廻りに回動可能に支持され且つ前記発射手段１６の打撃力を調節するための操作ダイアル２５と、該操作ダイアル２５の前側で前記支持ケース２４に固定され且つ遊技者が前側から把持するハンドルカバー２６とを含み、前記ハンドルカバー２６は前側に突出する略半球状の球面部４０と、該球面部４０の下側から左右両側にわたって設けられたグリップ部３５とを備え、前記グリップ部３５は前記球面部４０から前側に突出し且つ上側になるに従って突出量が小さくなる形状であって、前記操作ダイアル２５に指を掛けて前記ハンドルカバー２６を把持したときに掌が前側から当接するハンドレスト部４２を備えている。
【０００８】
【発明の実施の形態】
以下、本発明の各実施形態を図面に基づいて説明する。図１〜図１０は本発明を採用したパチンコ機の第１の実施形態を例示し、図１及び図２において、１は遊技機本体で、外枠２と、この外枠２に開閉自在に枢着された前枠３とを有する。前枠３には、その窓孔に対応して遊技盤４が裏側から着脱自在に装着され、また遊技盤４の前側にガラス扉５と前面板６とが開閉自在に配置されている。
【０００９】
遊技盤４には、ガイドレール７が環状に装着されると共に、そのガイドレール７の内側の遊技領域８に特別図柄表示手段９、特別図柄始動手段１０、可変入賞手段１１、普通図柄表示手段１２、普通図柄始動手段１３、普通入賞手段１４等の複数個の遊技部品が配置されている。
【００１０】
前面板６には発射用の遊技球を貯留する上皿（球供給皿）１５が装着されている。前枠３の下部には、その裏側に発射手段１６が装着されると共に、前面側に余剰球を貯留する下皿（余剰球受け皿）１７と、発射手段１６用の発射ハンドル１８とが設けられている。発射手段１６は、遊技球を遊技盤４の遊技領域８へと発射させるためのもので、揺動自在に枢支された打撃槌１９と、この打撃槌１９を打撃方向に付勢する発射バネ２０と、この発射バネ２０に抗して打撃槌１９を駆動する発射モータ２１とを備え、発射モータ２１により打撃槌１９を駆動し、上皿１５から発射レール２２上に１個づつ供給される遊技球を、発射バネ２０のバネ力に応じた打撃力で打撃槌１９により打撃して遊技領域８へと発射させるようになっている。なお、発射手段１６は前枠３の裏側下部で遊技機本体１の左右方向の一側に配置されている。
【００１１】
発射ハンドル１８は発射手段１６を操作するためのもので、図２、図３に示すように、前枠３の裏側で発射手段１６の支持板２３等に固定され且つ前枠３から前側に突出する支持ケース２４と、この支持ケース２４の前側に回動操作可能に配置された操作ダイアル２５と、この操作ダイアル２５の前側に配置されたハンドルカバー２６と、支持ケース２４内に回動自在に挿通された操作軸２７とを備え、発射手段１６に対応して前枠３の前側に設けられている。
【００１２】
支持ケース２４は前枠３の通孔２８に挿通され、後端側が支持板２３に固定されている。支持板２３は前枠３の裏側に装着され、この支持板２３に打撃槌１９、発射モータ２１等の発射機構が装着されている。支持ケース２４は前端側に前広がりのテーパー部２９を介して大径部３０を一体に備え、この大径部３０とその前のダイアル押さえ体３１との間に操作ダイアル２５が介在されている。操作ダイアル２５は発射手段１６の打撃力を調節するためのもので、外周側に周方向に所定の間隔をおいて複数個の指掛け用の指掛け爪３２が設けられており、支持ケース２４側（特に大径部２５）及び／又はダイアル押さえ体３１に嵌合して回動自在に支持され、操作軸２７の前端側に一体回動可能に結合されている。
【００１３】
操作軸２７は前枠３の裏側で発射バネ２０の調節機構に連動連結され、操作ダイアル２５を操作軸２７廻りに回動操作したときに発射バネ２０のバネ圧を任意に調整でき、これによって発射手段１６の打撃力が自在に変化するようになっている。
【００１４】
ダイアル押さえ体３１は外周が略真円状であって、その外周に導電性を有するハンドルタッチ部３３が設けられ、遊技者の指等がハンドルタッチ部３３に接触することにより、発射モータ２１が作動するようになっている。なお、ダイアル押さえ体３１は、ボス部３４等を介して支持ケース２４に固定されている。ハンドルタッチ部３３はダイアル押さえ体３１に添設された金属板、ダイアル押さえ体３１に施されたメッキ層等により構成されている。
【００１５】
ハンドルカバー２６は、図３〜図８に示すように、後端側の外周がダイアル押さえ体３１と略同心状であって、中央部分に前側に突出する球面部４０を有する略半球面状に構成され、その上下方向の中間部から下側にグリップ部３５が前側に突出して一体に設けられている。
【００１６】
グリップ部３５は、ハンドルカバー２６を把持する手を下側から受けるためのもので、図３〜図８に示すように、ハンドルカバー２６の前面側の略中央部分から上面側に連続する球面部４０を下及び左右両側から取り囲み、且つハンドルカバー２６の前面側に沿って正面視略円弧状、正面視略Ｕ字状等に湾曲して形成されており、このグリップ部３５とハンドルカバー２６の球面部４０との間が凹部４１となっている。
【００１７】
そして、このグリップ部３５は、ハンドルカバー２６を手で把持したときに、掌の踵部分から母指球部分、又は踵部分の内側部分から母指球部分の内側部分を下側から受けるハンドレスト部４２と、ハンドレスト部４２の内周縁４５及び球面部４０の外周縁４６を前後に結ぶ正面視略円弧状、正面視略Ｕ字状等の内周面部４３と、ハンドレスト部４２の外周縁４７及びハンドルカバー２６の後部側外周部分を結ぶ外周面部４４とを備えている。なお、グリップ部３５の左右両端部分は、上側になるに従ってハンドルカバー２６からの突出量が徐々に小さくなり、上端側がハンドルカバー２６の外面に連続する連続面となっている。
【００１８】
グリップ部３５の外周面部４４は、ハンドルカバー２６の下端よりも下方に突出する突出部４８がその前後方向の中間に設けられ、この突出部４８の前側及び左右両側が外側に若干突出する突出曲面４９を介してハンドレスト部４２の外周縁４７に、突出部４８の後側が内側に凹入する凹入曲面５０を介してハンドルカバー２６の後部外周に夫々連続している。
【００１９】
グリップ部３５及び／又はハンドレスト部４２は、操作ダイアル２５を適正打撃力となる位置まで所定角度回動操作したときの遊技者の手の角度に合わせて、グリップ部３５及び／又はハンドレスト部４２の下部側がハンドルカバー２６の上下、左右の略中央よりも遊技機本体１の左右方向の内側に位置するように、正面視においてハンドルカバー２６の中心又はその近傍を通る鉛直線Ａに対して角度αだけ外上がりに傾斜している（図５参照）。
【００２０】
またグリップ部３５及び／又はハンドレスト部４２の主要部分は、操作軸２７の延長上の軸線（前後方向の水平線）Ｂよりも下側にあり、その軸線Ｂに対して角度βだけ前下がり状に傾斜している。そして、ハンドレスト部４２の主要部分は、角度βの傾斜線Ｃを通る平面に対して内周側から外周側へと角度γだけ外下がり状に傾斜する傾斜面になっている（図６参照）。
【００２１】
ハンドレスト部４２には、操作ダイアル２５を適正打撃力となる位置まで所定角度回動操作したときに掌の母指球部分に対応する母指球受け部分５１に、この母指球受け部分５１を境界として側面視における傾斜角度がその下側よりも上側が大になるように滑らかに湾曲する湾曲凹面状に形成されている。
【００２２】
そして、ハンドレスト部４２は、遊技機本体１の左右方向の内側に配置され且つハンドルカバー２６を把持したときに踵部分及び／又はその内側部分を受ける踵受け部分５２と、母指球部分及び／又はその内側部分を受ける母指球受け部分５１とに分けた場合、その幅が母指球受け部分５１から踵受け部分５２へと徐々に広くなるように形成されており、母指球受け部分５１の幅よりも踵受け部分５２の幅が大である。踵受け部分５２は、内周縁４５と外周縁４７との間で緩やかに凹入する湾曲面となっている（図１０参照）
グリップ部３５には、図４〜図８に示すように、操作ダイアル２５を適正打撃力となる位置まで所定角度回動操作したときに小指に対応する指掛け部５３が、踵受け部分５２よりも遊技機本体１の外側に設けられている。この指掛け部５３はハンドレスト部４２の外端縁からグリップ部３５の下側に跨がって凹入状に形成されている。
【００２３】
またハンドレスト部４２には、反対側の母指球受け部分５１と同様に、指掛け部５３の上側に対応する指掛け対応部分５４が、この指掛け対応部分５４を境界として側面視における傾斜角度がその下側の主要部分よりも上側が大になるように滑らかに湾曲する湾曲凹面状に形成されている。
【００２４】
更にハンドレスト部４２の外周縁４７は、指掛け対応部分５４で内側に円弧状に湾曲しており、この指掛け対応部分５４から上側でハンドレスト部４２の幅が狭くなっている。
【００２５】
球面部４０は、ハンドルカバー２６を把持する掌をハンドレスト部４２に当てたときにその掌に沿うように、母指球受け部分５１と指掛け対応部分５４とを結ぶ線分、又はその上側近傍よりも上側では、ハンドレスト部４２のそれらの上側部分よりも前側に突出している。
【００２６】
このような構成の発射ハンドル１８では、次のような利点がある。一般のパチンコ機等では、発射ハンドル１８は遊技機本体１の右下部にあり、遊技者は遊技を行う場合にはそのハンドルカバー２６を右手で把持し指掛け爪３２に指を掛けて操作ダイアル２５を操作軸２７廻りに操作する。この場合、ハンドルカバー２６から前側に突出するグリップ部３５があり、そのグリップ部３５に手又は掌を預けた状態でハンドルカバー２６を把持した状態で操作ダイアル２５を操作できるので、手又は掌の疲労を極力軽減できる。しかも、グリップ部３５に手等を預けた状態でハンドルカバー２６を把持できるため、ハンドルカバー２６を包み込むように把持する必要がなく、操作ダイアル２５を容易に操作できる。
【００２７】
グリップ部３５は正面視においてハンドルカバー２６の球面部４０を下及び左右両側から取り囲むように形成されており、このグリップ部３５とハンドルカバー２６の球面部４０との間に凹部４１があるため、ハンドルカバー２６を把持した場合にも、掌の中央部分とハンドルカバー２６との間に掌の隙間を確保できる。このため手首から先を操作ダイアル２５の操作方向へと動かし易く、操作ダイアル２５を容易に操作できる。
【００２８】
しかもハンドルカバー２６を手で把持したときに、掌の踵部分及び母指球部分、又は踵部分及び母指球部分の内側部分を下側から受けるハンドレスト部４２がグリップ部３５に設けられているので、そのハンドレスト部４２で手を確実に受けることができる。
【００２９】
グリップ部３５及びハンドレスト部４２は全体として略前下がりの傾斜状であると共に、そのハンドレスト部４２が内周側から外周側へと外下がりに傾斜した傾斜面となっており、しかもグリップ部３５及び／又はハンドレスト部４２が正面視において外上がりに傾斜しているため、遊技者が最も長時間同じ状態を維持し、しかも最も重要な状態である、操作ダイアル２５を適正打撃力となる位置まで操作した状態での手の安定性が向上する。
【００３０】
グリップ部３５には、踵受け部分５２よりも外側に小指用の凹入状の指掛け部５３があるため、その指掛け部５３に小指を掛けた状態でハンドルカバー２６及び/ 又はグリップ部３５を把持でき、グリップ部３５上での手の安定性が向上する。
【００３１】
しかも指掛け部５３は、ハンドルカバー２６を把持して操作ダイアル２５を適正打撃力となる位置まで所定角度回動操作したときの小指に対応する位置にあるため、適正打撃力の位置での操作ダイアル２５の微調節も容易にできる。また指掛け部５３はハンドレスト部４２の外端縁からグリップ部３５の下側に跨がっているため、小指を曲げてグリップ部３５を把持できる。
【００３２】
ハンドレスト部４２は母指球受け部分５１から踵受け部分５２へと徐々に広くなっており、母指球受け部分５１の幅よりも踵受け部分５２の幅が大であるため、このハンドレスト部４２上に手を長時間にわたって載せておくことができる。またハンドレスト部４２は母指球部分に対応する部分と、その反対側の指掛け部５３に対応する部分とに、その上下が滑らかに湾曲して連続する湾曲凹面があるので、ハンドレスト部４２上に掌を載せた状態で違和感なくハンドルカバー２６を把持できる。
【００３３】
また球面部４０はハンドレスト部４２の母指球部分に対応する母指球受け部分５１、指掛け部５３の上側に対応する指掛け対応部分５４の上側で、ハンドレスト部４２のこれらの上側部分よりも前側に若干突出しているため、ハンドルカバー２６を把持したときに、この球面部４０の上側を経て操作ダイアル２５の指掛け爪３２に指を掛けることができる。
【００３４】
図１１〜図１３は本発明の第２の実施形態を例示し、この実施形態では、鉛直線Ａに対して角度αだけ傾斜する傾斜線Ｄに対してグリップ部３５が略対称に形成され、その下面側の前後方向の略中央に指掛け部５３が凹入状に形成されている。グリップ部３５及び／又はハンドレスト部４２は、その主要部分が外下がり状に傾斜して形成されている。その他の構成は、第１の実施形態と略同様である。
【００３５】
図１４は本発明の第３の実施形態を例示し、この実施形態では、グリップ部３５の下側の外周面部４４に、ハンドルカバー２６の後部側の下端よりも下側に突出する膨らみ部分がなく、指掛け部５３がグリップ部３５の左右方向の外側面から下側面に跨がって凹入状に形成されている。
【００３６】
図１５は本発明の第４の実施形態を例示し、この実施形態では、グリップ部３５の上下両面が前後方向に平坦状であって、その上面側がハンドレスト部４２となっている。またグリップ部３５の基部側の外側に、その左右方向の外側面から下面側に跨がって指掛け部５３が凹入状に形成されている。なお、ハンドレスト部４２は指掛け部５３が低くなるように湾曲状になっている。このようにグリップ部３５は、その上面側がハンドレスト部４２となるように前後方向に略水平状に設けても良い。
【００３７】
図１６は本発明の第５の実施形態を例示し、この実施形態では、グリップ部３５の前下部側に下方に屈曲する屈曲部６０を有し、その屈曲部６０の裏側が指掛け部５３の一部となっている。このように指掛け部５３の前側に屈曲部６０を設けても良い。
【００３８】
図１７は本発明の第６の実施形態を例示し、この実施形態では、ハンドルカバー２６の前部側の下部に、前下方に向かって斜め方向に突出してグリップ部３５が形成され、このグリップ部３５の上面側にハンドレスト部４２が形成されている。そして、グリップ部３５の基部側から上側のハンドルカバー２６の前面５５側が側面視において後上側へと傾斜し且つ平面視において中央が前側に突出する円弧状に形成されている。
【００３９】
図１８は本発明の第７の実施形態を例示し、この実施形態では、ハンドルカバー２６に、グリップ部３５に対応して開口状の取り付け部６１が形成され、この取り付け部６１にグリップ部３５が嵌合されて固着されている。グリップ部３５には、その上側の凹部４１に対応して球面部４０の一部が一体に形成されている。このようにハンドルカバー２６とグリップ部３５とを別々に成型して、ハンドルカバー２６の取り付け部６１にグリップ部３５を嵌め込んで固定するようにしても良い。
【００４０】
以上、本発明の各実施形態について詳述したが、本発明はこれらの実施形態に限定されるものではなく、趣旨を逸脱しない範囲内で種々の変更が可能である。例えばグリップ部３５は、図６に仮想線６２で示すように、前上側に球面状に突出するハンドレスト部４２を備えたものでも良く、ハンドルカバー２６とグリップ部３５との間の凹部４１を省略することも可能である。
【００４１】
ハンドルカバー２６とグリップ部３５とを別体に構成する場合には、ハンドルカバー２６を着色不透明の合成樹脂製とし、グリップ部３５を無色透明又は着色透明等の合成樹脂製として、グリップ部３５の内部にシート状のシール材を貼着しても良い。ハンドルカバー２６と操作ダイアル２５とを一体に構成し、操作ダイアル２５を操作したときにハンドルカバー２６が一体に回動するようにしても良い。この場合には、グリップ部３５を支持ケース２４側に固定しても良いし、ハンドルカバー２６とグリップ部３５とが一体に回動するようにしても良い。
【００４２】
実施形態では指掛け部５３として小指用のものを例示しているが、小指用以外のものを設けても良い。また指掛け部５３は、グリップ部３５の下面、側面等、対象とする指の位置を考慮してグリップ部３５の全体の何処に設けても良し、グリップ部３５に複数個の指掛け部５３を設けても良い。また発射ハンドル１８の構成部材の一部を構造的又はデザイン的に下皿側の下皿カバーと一体化しても良い。その場合、発射ハンドル１８の支持ケース２４、ハンドルカバー２６等を下皿カバーと一体化することが望ましい。
【００４３】
グリップ部３５は、各実施形態に例示する以外の形状、構造でも良いし、またハンドルカバー２６の上部から前側に傾斜状に突出させても良い。ハンドルカバー２６はその基本的形状が球面状である必要はない。
【００４４】
グリップ部３５はハンドルカバー２６の中心又はその近傍を通る鉛直線に対して左右対称位置に設けても良い。しかし、遊技中の遊技者が最も長時間維持する手の角度に合わせて設けた場合には、遊技者の手の疲労等を極力軽減し又は防止できる。その場合、グリップ部３５はその下部がハンドルカバー２６の中心又はその近傍よりも遊技機本体１の左右の内外方向の内側に偏位するように、鉛直線に対して所定角度だけ傾斜させることが望ましい。またそのグリップ部３５の角度は、平均的な遊技者を想定し、その遊技者がハンドルカバー２６を把持して操作ダイアル２５を適正打撃力となる位置まで所定角度回動操作したときの手の角度に合わせて設定すれば良い。勿論、グリップ部３５の正面視の傾斜角度は、これ以外の条件に基づいて決めても良い。
【００４５】
発射ハンドル１８を遊技機本体１の左側に配置した場合にも同様に実施可能である。ハンドルカバー２６には、透明、その他の材料で構成された表示窓を球面部４０に対応して形成し、その表示窓の内部に、商標、その他の適宜識別標識等を表示するようにしても良い。
【００４６】
また表示窓の内部に、遊技者に有利な特別利益状態の発生等の所定条件で点灯又は点滅する表示ランプを設けても良いし、所定条件で動作する可動物を設けても良い。遊技中の遊技者は常時表示窓を完全に覆うようにハンドルカバー２６を把持している分けではないので、このようにした場合には、特別利益状態の発生等の所定条件の成立を表示ランプの点灯又は点滅、可動物の動作で遊技者に報知できる。表示窓はグリップ部３５に設けても良い。
【００４７】
ハンドルカバー２６及び／又はグリップ部３５、及び／又は指掛け部５３の表面の全部又は一部を覆うように、手に対するなじみ性の良い軟質部材を設けても良いし、ハンドルカバー２６及び／又はグリップ部３５、及び／又は指掛け部５３を同様の軟質部材で構成しても良い。グリップ部３５は所定条件で振動動作、回転動作、揺動動作及び／又は伸長動作して、所定条件の成立を遊技者に報知するようにしても良い。例えばグリップ部３５とハンドルカバー２６との接続部分を略回転中心として所定条件のときにグリップ部３５を回転させたり、その接続部分でグリップ部３５を前後方向に出退させたりしても良い。
【００４８】
またグリップ部３５はハンドルカバー２６との接続部分を中心に前後方向の軸心廻りに回動可能にして、遊技者が自己の好みに応じてグリップ部３５の角度を調整できるようにしても良い。またグリップ部３５はハンドルカバー２６に対して左右方向、前後方向等の所定方向に位置調整及び／又は角度調整可能に設けても良い。更にグリップ部３５は所要形状及び／又は所要方向に屈曲してその屈曲状態を保持可能に構成し、その屈曲形状及び／又は屈曲方向を遊技者が自己の好みに応じて適宜変更できるようにしても良い。
【００４９】
グリップ部３５の表面側の一部又は全部を金属材料、その他の導電性材料で形成しても良いし、グリップ部３５とハンドルカバー２６との表面側を金属材料、その他の導電性材料で形成しても良い。勿論、グリップ部３５及び／又はハンドルカバー２６の全体を金属材料等で構成しても良い。これらの場合には、その金属材料、その他の導電性材料の部分をハンドルタッチ検出回路に接続して、遊技者がグリップ部３５及び／又はハンドルカバー２６に触れているか否かをハンドルタッチ検出回路で検出できるようにしても良い。
【００５０】
上皿１５及び／又は下皿１７に設けられた遊技球排出口の開閉手段を開閉操作する開閉操作手段、及び／又は発射手段１６に発射動作の停止を指令する発射停止操作手段、及び／又は珠貸し動作を指令する珠貸し操作手段等、各種の操作手段の１個又は複数個をグリップ部３５又はハンドルカバー２６に設けても良い。例えば開閉操作手段、発射停止操作手段、珠貸し操作手段の内、その何れか１個、何れか２個又は全部をグリップ部３５又はハンドルカバー２６に設けても良い。ハンドルカバー２６と操作ダイアル２５とを一体に構成しても良い。更に本発明はパチンコ機の他、アレンジボール機、雀球遊技機等の各種の弾球遊技機においても同様に実施できる。
【００５１】
本発明によれば、ハンドルカバー２６を軽く把持することが可能であり、操作ダイアル２５を容易に操作でき、またグリップ部３５に手を当てて遊技を行えるため、手、指等の疲労を軽減できる。
【図面の簡単な説明】
【図１】本発明の第１の実施形態を示すパチンコ機の正面図である。
【図２】本発明の第１の実施形態を示すパチンコ機の下皿部分の平面図である。
【図３】本発明の第１の実施形態を示す発射ハンドルの断面図である。
【図４】本発明の第１の実施形態を示す発射ハンドルの斜視図である。
【図５】本発明の第１の実施形態を示す発射ハンドルの正面図である。
【図６】本発明の第１の実施形態を示す発射ハンドルの側面図である。
【図７】本発明の第１の実施形態を示す発射ハンドルの平面図である。
【図８】本発明の第１の実施形態を示す発射ハンドルの底面図である。
【図９】本発明の第１の実施形態を示す発射ハンドルの要部面図である。
【図１０】本発明の第１の実施形態を示す発射ハンドルのハンドレスト部の断面図である。
【図１１】本発明の第２の実施形態を示す発射ハンドルの斜視図である。
【図１２】本発明の第２の実施形態を示す発射ハンドルの正面図である。
【図１３】本発明の第２の実施形態を示す発射ハンドルの側面図である。
【図１４】本発明の第３の実施形態を示す発射ハンドルの側面図である。
【図１５】本発明の第４の実施形態を示す発射ハンドルの側面図である。
【図１６】本発明の第５の実施形態を示す発射ハンドルの側面図である。
【図１７】本発明の第６の実施形態を示す発射ハンドルの側面図である。
【図１８】本発明の第７の実施形態を示す発射ハンドルの断面図である。
【符号の説明】
１６  発射手段
１８  発射ハンドル
２５  操作ダイアル
２６  ハンドルカバー
３５  グリップ部
４１  凹部
４２  バンドレスト部
５１  母指球受け部分
５２  踵受け部分
５３  指掛け部
【図１】
0004175812.tif 000002
【図２】
0004175812.tif 000003
【図３】
0004175812.tif 000004
【図４】
0004175812.tif 000005
【図５】
0004175812.tif 000006
【図６】
0004175812.tif 000007
【図７】
0004175812.tif 000008
【図８】
0004175812.tif 000009
【図９】
0004175812.tif 000010
【図１０】
0004175812.tif 000011
【図１１】
0004175812.tif 000012
【図１２】
0004175812.tif 000013
【図１３】
0004175812.tif 000014
【図１４】
0004175812.tif 000015
【図１５】
0004175812.tif 000016
【図１６】
0004175812.tif 000017
【図１７】
0004175812.tif 000018
【図１８】
0004175812.tif 000019